(57)【要約】【課題】車輌トランクのリモコン装置の提供。【解決手段】本考案の車輌トランクのリモコン装置は、主に、車輌に元から配備されている盗難防止ホストにより制御される任意の盗難防止設備が周波数受信ホストを連結し、周波数受信ホストは信号線により、トランクの駆動モータを接続し、設定により、元のリモコン発射器が発射する無線信号中の周波数を受信することができる。リモコン発射器を押し続けて、無線信号を所定時間、継続して発信し、周波数受信ホストが連結された盗難防止設備を検知して、盗難防止解除の動作を行い、リモコン発射器が発射する無線信号中の周波数が所定時間継続して受信された後、周波数受信ホストにより信号をトランクの駆動モータに発信し、トランクの駆動モータがトランクを開け、これにより、一般の比較的比較的安価な車輌のトランクも、元のリモコンによりトランクを開く動作を制御できる。【選択図】図３
0003139110.tif 000002
【実用新案登録請求の範囲】
【請求項１】
車輌トランクのリモコン装置であって、前記装置は、少なくとも、リモコン発射器と、盗難防止システムと、からなり、
前記リモコン発射器は、無線信号を盗難防止ホストに発射し、
前記盗難防止ホストは、車輌の中央制御ロック、点火システム、及び、給油システム等の盗難防止設備と連結し、前記リモコン発射器の無線信号指令を受信して、盗難防止設備の設定と解除を実行し、その特徴は、前記の盗難防止ホストにより制御される任意の盗難防止設備が周波数受信ホストを連結し、前記周波数受信ホストは、設定により、リモコン発射器が発射する無線信号中の周波数を受信すると共に、連結された盗難防止設備を検知して、盗難防止解除の動作を行い、前記周波数受信ホストは、信号線により、トランクの駆動モータに接続され、前記リモコン発射器を押して、無線信号を継続して発信し、前記周波数受信ホストにより、前記盗難防止設備の盗難防止指令を検知して解除した後、前記リモコン発射器の無線信号を周波数を所定時間受信する時、前記周波数受信ホストにより、信号をトランクも駆動モータに発信し、トランクの駆動モータが開く動作を実行することを特徴とする車輌トランクのリモコン装置。  
【考案の詳細な説明】
【技術分野】
【０００１】
本考案は車輌トランクのリモコン装置に関するものであって、特に、車輌のリモコン発射器によりトランクの開きをリモコン制御するリモコン装置に関する。
【背景技術】
【０００２】
一般の車輌は出荷時、大部分の工場は各車両に盗難防止システム１を設置する。図１で示されるように、盗難防止システム１は、主に、リモコン発射器１１、及び、車輌上に装着される盗難防止ホスト１２から構成され、リモコン発射器１１は通常、車主が携帯するもので、車輌上の盗難防止ホスト１２は、車輌上のドア中央制御ロック１２１、点火システム１２２、及び、給油システム１２３等と連結し、車主が盗難防止システム１２の有効受信距離内に位置するとき、リモコン発射器１１を押して、各盗難防止指令の設定を解除し、この時、ドア中央制御ロック１２１が開き、点火システム１２２、及び、給油システム１２３が正常な指令待ち状態になり、車主は、ドアを開けて車内に入ることが出来、更に、キーを差し込んで、エンジンを発動させることができる。反対に、車輌が目的地に到着し、車輌を離れる時、リモコン発射器１１を押して、ロック信号を発信し、盗難防止システム１２が点火システム１２２、及び、給油システム１２３を給油停止、断電状態に設定し、ドア中央制御ロック１２１がロックされ、これにより、盗難防止システムの設定状態になる。
【０００３】
この他、図２で示されるように、一般の高級車輌上の盗難防止システム２は、盗難防止ホスト２２が信号線によりトランク駆動モータ２３を接続し、所定時間内に、リモコン発射器２１を継続して押すと、盗難防止ホスト２２が信号をトランクの駆動モータ２３に発信され、トランクの駆動モーター２３が作動し、トランクの制御ロープを引動して、トランクを開ける。
【０００４】
しかし、一般の比較的安価な車輌は簡単な盗難防止システム１が配備され、リモコン発射器１１によりトランクを開く動作が制御できず、いかにして、元の車輌の盗難防止システムに影響、及び、破壊をしない状況下で、車輌のトラックと元の盗難防止システムを効果的に統合するか、且つ、一般の車輌も高級車と同じような配備にするかが課題である。
【考案の開示】
【考案が解決しようとする課題】
【０００５】
本考案の目的は、上述の問題を解決するような車輌トランクのリモコン装置を提供することにある。
【課題を解決するための手段】
【０００６】
本考案の車輌トランクのリモコン装置は、主に、車輌に元から配備されている盗難防止ホストにより制御される任意の盗難防止設備が周波数受信ホストを連結し、周波数受信ホストは信号線により、トランクの駆動モータを接続し、リモコン発射器を押して、無線信号を所定時間、継続して発信し、周波数受信ホストが連結された盗難防止設備を検知して、盗難防止解除の動作を行い、リモコン発射器が発射する無線信号中の周波数が所定時間継続して受信された後、周波数受信ホストにより信号をトランクの駆動モータに発信し、トランクの駆動モータがトランクを開け、これにより、一般の比較的安価な車輌のトランクも、元のリモコンによりトランクを開く動作を制御できる。
【考案の効果】
【０００７】
本考案の車輌トランクのリモコン装置により、一般の比較的安価な車輌のトランクも、元のリモコンによりトランクを開く動作を制御できる。
【考案を実施するための最良の形態】
【０００８】
図３は、本考案の車輌トランクのリモコン装置を示す図で、主に、リモコン発射器３、盗難防止ホスト４、及び、周波数受信ホスト５、からなる。
【０００９】
リモコン発射器３は、通常、車主が携帯するもので、リモコン発射器３はパスワードを有する無線信号を盗難防止ホスト４に発射する。
【００１０】
盗難防止ホスト４は、車輌上のドア中央制御ロック４１、点火システム４２、及び、給油システム４３等の盗難設備と連結し、リモコン発射器３が発射する無線信号指令を受信して、盗難防止功能の設定と解除を実行する。
【００１１】
周波数受信ホスト５は、リモコン発射器３が発射する無線信号中の周波数を受信し、周波数受信ホスト５は盗難防止ホスト４が制御する任意の盗難防止設備に連結され、連結された盗難防止設備の盗難防止動作を解除し、周波数受信ホスト５は、更に、信号線により、車輌トランクの駆動モータを接続する。周波数受信ホスト５は、車輌中に独立して設置されるか、或いは、車輌の外接設備、例えば、バックレーダシステム、サイドミラー自動折り畳み収納システム、携帯電話フリーハンドシステム等中に設置される。
【００１２】
本発明の実施時、周波数受信ホスト５は、盗難防止システム４が制御する任意の盗難防止設備に連結され、以下では、中央制御ロック４１に連結される駆動モータ４１１を例としているが、この限りではない。車主が盗難防止ステム４の有効受信距離内にいる時、元の車輌のリモコン発射器３により車輌に対し盗難防止指令を発する設定、解除の動作を行い、元の車輌の盗難防止功能とその操作を維持する。車主が車輌のトランクを開けたい時、車主は、リモコン発射器３を所定時間押し続け（２〜５秒）、無線信号を継続して発射し、この時、盗難防止ホスト４は解除指令を受信し、中央制御ロック４１の制御モーター４１１にドアを開ける動作を実行させ、周波数受信ホスト５がまず、中央制御ロック４１の制御モータ４１１を検知してドアを開ける動作をした後、リモコン発射器３の無線信号の周波数を継続して受信するのが所定の秒数に達する時、周波数受信ホスト５は信号をトランクの駆動モータ６に出力し、トランクの制御ロープを引動し、トランクを開く。
【００１３】
本発明は、周波数受信ホスト５を車輌が元から配備している盗難防止ホスト４により制御される任意の盗難防止設備に連結し、且つ、周波数受信ホスト５が信号線を車輌トランクの駆動モータに接続し、トランクを開けたい時、リモコン発射器３を所定時間継続して押し続け、無線信号を継続して発信し、周波数受信ホスト５が、連結された盗難防止設備を解除したのを検知し、リモコン発射器３が発射する無線信号の周波数を所定秒数、継続して受信する時、周波数受信ホスト５は信号をトランクの駆動モータ６に出力し、トランクの駆動モータ６が開く動作を実行する。よって、本考案は、周波数受信ホスト５を、元のリモコンの周波数を受信できるように設定し、元のリモコンのパスワードを解読する必要がなく、一般に盗難防止器が配備されている比較的安価な車輌にも適用でき、リモコン方式によりトランクを開ける動作を実行することができる。
【図面の簡単な説明】
【００１４】
【図１】公知の盗難防止システムを示す図である。
【図２】もう一つの公知の盗難防止システムを示す図である。
【図３】本発明のトランクのリモコン装置を示す図である。
【符号の説明】
【００１５】
１        盗難防止システム
１１      リモコン発射器
１２      盗難防止ホスト
１２１    中央制御ロック
１２２    点火システム
１２３    給油システム
２        盗難防止システム
２１      リモコン発射器
２２      盗難防止ホスト
２３      駆動モータ
３        リモコン発射器
４        盗難防止ホスト
４１      中央制御ロック
４１１    駆動モータ
４２      点火システム
４３      給油システム
５        周波数受信ホスト
６        駆動モータ
【図１】
0003139110.tif 000003
【図２】
0003139110.tif 000004
【図３】
0003139110.tif 000005